(57)【要約】      （修正有）【課題】光ピックアップ装置を製造する際の作業を容易にすること、対物レンズの光軸と光学素子の光軸とを容易に一致させ、光学素子が内部に設置されたレンズホルダの剛性を高める。【解決手段】光源から出射されたレーザ光を集光して光ディスクに照射する対物レンズ６と、所定の光学作用を及ぼす光学素子８と、内部に上記光学素子８が設置される中空のレンズホルダとを有する光ピックアップ装置を製造する方法であって、上記レンズホルダを上記対物レンズ６が固定される対物レンズ設置部５１と、上記光学素子８が設置される光学素子設置部５２とに分離させた状態で各々形成し、上記光学素子設置部５２に上記光学素子８を設置してから、上記対物レンズ設置部５１と上記光学素子設置部５２とを対物レンズ６の光軸と光学素子８の光軸が一致するように接合する。【選択図】              図２
2004152447.tif 000002
【特許請求の範囲】
【請求項１】
光源から出射されたレーザ光を集光して光ディスクに照射する対物レンズ（６）と、所定の光学作用を及ぼす光学素子（８）と、前記対物レンズ（６）が固定されると共に、内部に前記光学素子（８）が設置される中空のレンズホルダ（５）とを有する光ピックアップ装置を製造する方法であって、
前記レンズホルダ（５）を前記対物レンズ（６）が固定される対物レンズ設置部（５１）と、前記光学素子（８）が設置される光学素子設置部（５２）とに分離させた状態で各々形成し、前記光学素子設置部（５２）に前記光学素子（８）を設置してから、前記対物レンズ設置部（５１）と前記光学素子設置部（５２）とを対物レンズ（６）の光軸と光学素子（８）の光軸が一致するように接合することを特徴とする光ピックアップ装置製造方法。
【請求項２】
前記対物レンズ（６）の光軸と前記光学素子（８）の光軸とが一致するように前記対物レンズ設置部（５１）を位置合わせした状態で、前記対物レンズ設置部（５１）と前記光学素子設置部（５２）とを紫外線を照射することによって硬化する接着剤（９）で接合することを特徴とする請求項１記載の光ピックアップ装置製造方法。
【請求項３】
請求項１または請求項２いずれかの光ピックアップ装置製造方法によって製造されたことを特徴とする光ピックアップ装置。
【請求項４】
光源から出射されたレーザ光を集光して光ディスクに照射する対物レンズ（６）と、該対物レンズ（６）が固定されるレンズホルダ（５）と、該レンズホルダ（５）に固定されると共に、前記対物レンズ（６）の収差を補正する液晶素子（１０）と、該レンズホルダ（５）を可動自在に支持するサスペンションワイヤ（４１〜４４）と、これら複数のサスペンションワイヤ（４１〜４４）をベース部（１）に対して固定するワイヤ支持部（２）とを備えたムービング・マグネット方式あるいはムービング・コイル方式の光ピックアップ装置であって、
前記サスペンションワイヤ（４１〜４４）と前記液晶素子（１０）とはＦＰＣ（Ｆｌｅｘｉｂｌｅ  Ｐｒｉｎｔｅｄ  Ｃｉｒｃｕｉｔｓ）（１１，１２）を介して接続され、前記液晶素子（１０）は、前記サスペンションワイヤ（４１〜４４）を介して駆動信号を供給することを特徴とする光ピックアップ装置。
【発明の詳細な説明】
【０００１】
【発明の属する技術分野】
本発明は、光ピックアップ装置及びその製造方法に関する。
【０００２】
【従来の技術】
通常、光ピックアップ装置は、サスペンションワイヤによって、可動自在に支持されたレンズホルダを有している。このような光ピックアップ装置において、対物レンズの直下に所定の光学作用を及ぼす光学素子を設ける必要がある場合には、対物レンズが固定されたレンズホルダの内部に光学素子が設置されている。従来、上記レンズホルダを製造する際には、上記対物レンズの光軸に沿ってレンズホルダに形成された空洞部の下方から光学素子を挿入して対物レンズの直下に固定する。上記空洞部は、下方から光学素子が挿入されるため、レンズホルダの下部から対物レンズ直下に亘って、上記光学素子の外径よりも所定のクリアランス分大きく形成されている。また、上記クリアランスは、光学素子を挿入した後に、光学素子の光軸と対物レンズの光軸を一致させるために、光学素子の位置を微調整できるように、ある程度余分をもって、形成されている。また、対物レンズの収差を補正するための液晶素子を上記空洞部を覆うようにレンズホルダの下部に設置する際には、リード線の一端とサスペンションワイヤとを半田付けし、リード線の他端と液晶素子とを半田付けすることによって、上記サスペンションワイヤと液晶素子とを電気的に接続し、上記サスペンションワイヤを介して液晶素子に駆動信号を供給する。
【０００３】
【特許文献１】
特開平０９−２３１６１０号公報
【特許文献２】
特開平１０−１７２１６０号公報
【特許文献３】
特開平０６−３４２５２８号公報
【特許文献４】
特開平０９−０１７０１５号公報
【特許文献５】
特開平０９−０１７００３号公報
【特許文献６】
特開平０８−２６３８６７号公報
【０００４】
【発明が解決しようとする課題】
しかしながら、上記対物レンズの光軸と光学素子の光軸とを一致させるように、光学素子を微調整する際には、上記空洞部の内部に挿入された光学素子を治具で掴んで位置調整するため、設置作業がやり難いという問題点が生じる。また、上記レンズホルダは、通常、縦、横、高さが１ｃｍ以下であるため、上記サスペンションワイヤ及び液晶素子の接続端子が非常に小さくなるので、上記リード線の一端とサスペンションワイヤとを半田付けする際、及び、リード線の他端と液晶素子とを半田付けする際には、やはり設置作業がやり難いという問題点が生じる。これに加え、光学素子を挿入する空洞部は、上述したように光学素子の外径よりも大きく形成されているので、必然的にレンズホルダが肉薄となってしまい、その結果、レンズホルダの剛性が低下して共振周波数が低くなるという問題点も生じる。
【０００５】
本発明は、上述する問題点に鑑みてなされたもので、以下の点を目的とするものである。
（１）光ピックアップ装置を製造する際の作業を容易にする。
（２）対物レンズの光軸と光学素子の光軸とを容易に一致させる。
（３）サスペンションワイヤと液晶素子とを容易に接続する。
（４）光学素子が内部に設置されたレンズホルダの剛性を高める。
【０００６】
【課題を解決するための手段】
上記目的を達成するために、本発明では、光ピックアップ装置の製造方法に係わる第１の手段として、光源から出射されたレーザ光を集光して光ディスクに照射する対物レンズと、所定の光学作用を及ぼす光学素子と、上記対物レンズが固定されると共に、内部に上記光学素子が設置される中空のレンズホルダとを有する光ピックアップ装置を製造する方法であって、上記レンズホルダを上記対物レンズが固定される対物レンズ設置部と、上記光学素子が設置される光学素子設置部とに分離させた状態で各々形成し、上記光学素子設置部に上記光学素子を設置してから、上記対物レンズ設置部と上記光学素子設置部とを対物レンズの光軸と光学素子の光軸が一致するように接合するという構成を採用する。
【０００７】
光ピックアップ装置の製造方法に係わる第２の手段として、上記第１の手段において、上記対物レンズの光軸と上記光学素子の光軸とが一致するように上記対物レンズ設置部を位置合わせした状態で、上記対物レンズ設置部と上記光学素子設置部とを紫外線を照射することによって硬化する接着剤で接合するという構成を採用する。
【０００８】
光ピックアップ装置に係わる第１の手段として、上記光ピックアップ装置の製造方法に係わる第１または第２の手段において製造されたという構成を採用する。
【０００９】
光ピックアップ装置に係わる第２の手段として、光源から出射されたレーザ光を集光して光ディスクに照射する対物レンズと、該対物レンズが固定されるレンズホルダと、該レンズホルダに固定されると共に、上記対物レンズの収差を補正する液晶素子と、該レンズホルダを可動自在に支持するサスペンションワイヤと、これら複数のサスペンションワイヤをベース部に対して固定するワイヤ支持部とを備えたムービング・マグネット方式あるいはムービング・コイル方式の光ピックアップ装置であって、上記サスペンションワイヤと上記液晶素子とはＦＰＣ（Ｆｌｅｘｉｂｌｅ  Ｐｒｉｎｔｅｄ  Ｃｉｒｃｕｉｔｓ）を介して接続され、上記液晶素子は、上記サスペンションワイヤを介して駆動信号を供給するという構成を採用する。
【００１０】
【発明の実施の形態】
以下、図面を参照して、本発明に係わる光ピックアップ装置及びその製造方法の一実施形態について説明する。
【００１１】
（第１実施形態）
図１は、本第１実施形態に係わる光ピックアップ装置の要部構成図である。この図において、符号１はベース部、２はワイヤ支持部、３１，３２はヨークコイル、４１〜４４はサスペンションワイヤ、５はレンズホルダ、６は対物レンズ、７１，７２はマグネットである。
【００１２】
ベース部１は、板状に形状設定されると共に、その略中央部には、光源（図示せず）から入射したレーザ光が通過する貫通孔部１ａが形成されている。ワイヤ支持部２は、略直方体形に形状設定されており、図示するように、上記ベース部１の左側に固定設置されている。
【００１３】
ヨークコイル３１，３２は、外部の駆動装置から電流が供給されることによって、レンズホルダ５をラジアル方向及びフォーカス方向に移動させるものであり、上記貫通孔部１ａを挟むように各々ベース部１上に設置されている。つまり、図示するように、ヨークコイル３１は、貫通孔部１ａの左側に設置され、ヨークコイル３２は、貫通孔部１ａの右側に設置されている。
【００１４】
サスペンションワイヤ４１〜４４は、４本設けられており、各々の一端がレンズホルダ５に固定され、また、他端が上記ワイヤ支持部２に固定されている。すなわち、図示するように、サスペンションワイヤ４１，４２は、貫通孔部１ａの手前側に上記ベース部１と平行に姿勢設定された状態で、上からサスペンションワイヤ４１、サスペンションワイヤ４２の順で上記ワイヤ支持部２に支持され、サスペンションワイヤ４３，４４は、貫通孔部１ａの奥側に上記ベース部１と平行に姿勢設定された状態で、上からサスペンションワイヤ４３、サスペンションワイヤ４４の順で上記ワイヤ支持部２に支持されている。
【００１５】
レンズホルダ５は、中空の略直方体形に形状設定されており、上記サスペンションワイヤ４１〜４４の一端によって、可動自在に、かつ、上記貫通孔部１ａの上方に位置するように支持されている。このレンズホルダ５について、図２を参照して、説明する。図２は、上記レンズホルダ５の全体図構成図であり、（ａ）は縦断面図、（ｂ）は下面図である。
【００１６】
レンズホルダ５は、対物レンズ設置部５１、光学素子設置部５２を備えている。対物レンズ設置部５１は、上記レーザ光を集光して光ディスクに照射する対物レンズ６が設置されるものであり、上記レンズホルダ５の上部を構成している。上記対物レンズ６は、周縁に突出部６１が形成されている。図示するように、この対物レンズ設置部５１は、対物レンズ６の光軸に沿って貫通孔部５１ａが形成されている。この貫通孔部５１ａは、貫通孔部５１ａの上部を構成する第１貫通孔部５１ａ１と貫通孔部５１ａの下部を構成する第２貫通孔部５１ａ２から構成されている。上記第１貫通孔部５１ａ１は、上記対物レンズ６の上面、すなわち突出部６１が填め込まれるように、突出部６１の外径より所定のクリアランス分大きく形成されている。上記第２貫通孔部５１ａ２は、上記第１貫通孔部５１ａ１よりも小径に形成されている。すなわち、第２貫通孔部５１ａ２の上部には、突出部６１を固定載置されるレンズ受部５１ａ３が形成される。つまり、上記対物レンズ６は、突出部６１が、レンズ受部５１ａ３上に固定載置されることによって、上記対物レンズ設置部５１の貫通孔部５１ａに填め込まれた状態で支持されている。
【００１７】
光学素子設置部５２は、対物レンズ６の収差補正、開口制限切替、光分岐等の所定の光学作用を及ぼす光学素子８が固定設置されるものであり、上記レンズホルダ５の下部を構成している。図示するように、この光学素子設置部５２は、上記光学素子８の光軸に沿って、貫通孔部５２ａが形成されている。この貫通孔部５２ａは、貫通孔部５２ａの上部を構成する第３貫通孔部５２ａ１と貫通孔部５２ａの下部を構成する第４貫通孔部５２ａ２から構成されている。上記第３貫通孔部５２ａ１は、上記光学素子８が填め込まれるように、光学素子８の外径よりも所定のクリアランス分大きく形成されている。上記第４貫通孔部５２ａ２は、上記第３貫通孔部５２ａ１より小径に構成されている。すなわち、第４貫通孔部５２ａ２の上部には、光学素子８が固定設置される光学素子受部５２ａ３が形成される。つまり、上記光学素子８は、上記光学素子受部５２ａ３上に固定載置されることによって、上記光学素子設置部５２の貫通孔部５２ａに填め込まれた状態で支持されている。貫通孔部５２ａは、上述したように構成されているので、光学素子受部５２ａ３より下、すなわち、第４貫通孔部５２ａ２を形成する壁部を肉厚に形成することができる。
【００１８】
このような対物レンズ設置部５１と光学素子設置部５２とは、対物レンズ６の光軸と、光学素子８の光軸とが一致するように、紫外線を照射することによって硬化する接着剤９（以下、紫外線硬化接着剤と言う）によって、接着、固定されている。図示するように、このように接着、固定された対物レンズ設置部５１と光学素子設置部５２とによって形成される側面部５５〜５８の内、側面部５５には、上記サスペンションワイヤ４１，４２と連結されるホルダ支持部５３が固定され、側面部５５と対称に位置する側面部５７には、上記サスペンションワイヤ４３，４４と連結されるホルダ支持部５４が固定されている。
【００１９】
再び、図１の説明に戻ると、上述したように構成されたレンズホルダ５は、図示するように、上記ホルダ支持部５３が貫通孔部１ａの手前側、ホルダ支持部５４が貫通孔部１ａの奥側に位置するようにサスペンションワイヤ４１〜４４の一端に連結されている。すなわち、レンズホルダ５は、サスペンションワイヤ４１〜４４によって、可動自在に貫通孔部１ａの上方に位置するように支持されている。
【００２０】
マグネット７１，７２は、レンズホルダ５を挟み込むように該レンズホルダ５の側面部５６，５８に設置されているものである。すなわち、マグネット７１は、上記ヨークコイル３１と対向する上記側面部５６に固定されており、マグネット７２は、上記ヨークコイル３２と対向する上記側面部５８に固定されている。つまり、これらのマグネット７１，７２は、上記ヨークコイル３１，３２に電流が流れることによって力を受け、上記レンズホルダ５を上下方向（フォーカス方向）あるいは／及び貫通孔部１ａの手前側と奥側とを結ぶ方向（ラジアル方向）に移動させる。
【００２１】
次に、このように構成された第１実施形態に係わる光ピックアップ装置のレンズホルダ５の製造方法について図３を参照して説明する。
【００２２】
光学素子８は、別体で形成された対物レンズ設置部５１と光学素子設置部５２との内、（ａ）に図示するように、光学素子設置部５２に形成された上記光学素子受部５２ａ３上に固着設置される。すなわち、対物レンズ設置部５１と光学素子設置部５２とは、別体で設けられている上、光学素子８を貫通孔部５２ａの上方から第３貫通孔部５２ａ１に挿入するため、光学素子８より下方の光学素子設置部５２の周面、すなわち、第４貫通孔部５２ａ２を形成する壁部を十分に剛性が高くなるように肉厚に形成することができる。
【００２３】
そして、（ｂ）に図示するように、対物レンズ設置部５１は、光学素子８が設置された光学素子設置部５２上に、光学素子８の光軸と、貫通孔部５１ａの中心軸、すなわち対物レンズ６の光軸とが一致するように位置決めされる。この際、対物レンズ設置部５１は、外力を加えることによって、容易に水平方向に移動することができるので、容易に光学素子８の光軸と対物レンズ６の光軸とが一致するように位置決めすることができる。
【００２４】
続いて、（ｃ）に図示するように、対物レンズ設置部５１と光学素子設置部５２とは、紫外線硬化接着剤９によって接着固定される。そして、（ｄ）に図示するように、対物レンズ６の突出部６１は、対物レンズ設置部５１のレンズ受部５１ａ３上に固定設置される。すなわち、対物レンズ６は、貫通孔部５１ａに填め込まれる。
【００２５】
そして、ホルダ支持部５３，５４は、側面部５５，５７に固定され、マグネット７１，７２は、側面部５６，５８に固定される。上記サスペンションワイヤ４１〜４４の一端は、上記ホルダ支持部５３，５４に接続される。
【００２６】
なお、上記第１の実施形態において、ベース部１上にヨークコイル３１，３２を設置し、側面部５６，５８にマグネット７１，７２を固定した。しかしながら、ヨークコイル３１，３２とマグネット７１，７２との位置関係を逆、すなわちベース部１にマグネット７１，７２を設置し、側面部５６，５８にヨークコイル３１，３２を固定しても良い。この際、ヨークコイル３１，３２にはサスペンションワイヤ４１〜４４を介して電流が流される。
【００２７】
（第２実施形態）
図４及び図５を参照して、第２の実施形態に係わる光ピックアップ装置について説明する。図４は、第２の実施形態に係わる光ピックアップ装置の要部構成図であり、図５の（ａ）は、レンズホルダ５の側面部５８を正面から見た側面図、（ｂ）はレンズホルダ５の下面図である。これらの図において、符号１０は液晶素子、１１，１２はＦＰＣ（Ｆｌｅｘｉｂｌｅ  Ｐｒｉｎｔｅｄ  Ｃｉｒｃｕｉｔｓ）である。
【００２８】
本第２実施形態においては、図示するように、レンズホルダ５は、単一の中空の略直方形に形状設定された部材に、ホルダ支持部５３，５４が固定されたものである。サスペンションワイヤ４１〜４４は、上記ホルダ支持部５３，５４を挿通してレンズホルダ５を支持している。すなわち、図示するように、サスペンションワイヤ４１〜４４の一端は、ホルダ支持部５３，５４から突出した状態となっている。
【００２９】
液晶素子１０は、接続端子１０ａ〜１０ｄに所定の電圧を印加される（駆動信号を供給される）ことによって、上記対物レンズ６の収差補正を行うものであり、上記レンズホルダ５の下面を覆うようにレンズホルダ５に固定されている。ＦＰＣ１１，１２は、柔らかな基板上に配線１１ａ，１１ｂ，１２ａ，１２ｂが形成されたものであり、図示するように、例えば粘着テープ等で各々側面部５５，５７上のホルダ支持部５３，５４よりも側面部５８側から液晶素子の接続端子１０ａ〜１０ｄに亘って固着されている。すなわち、ＦＰＣ１１に形成された配線１１ａは、サスペンションワイヤ４１の一端から接続端子１０ａに亘って設置されており、配線１１ｂは、サスペンションワイヤ４２の一端から接続端子１０ｂに亘って設置されている。また、ＦＰＣ１２に形成された配線１２ａは、サスペンションワイヤ４３の一端から接続端子１０ｃに亘って設置されており、配線１２ｂは、サスペンションワイヤ１２ｂの一端から接続端子１０ｄに亘って設置されている。そして、これら配線１１ａ，１１ｂ，１２ａ，１２ｄと、サスペンションワイヤ４１〜４４の一端及び接続端子１０ａ〜１０ｄとは半田付けされることによって固定されている。
【００３０】
このような第２の実施形態に係わる光ピックアップ装置を製造する際には、予め、レンズホルダ５に固着されたＦＰＣ１１，１２にサスペンションワイヤ４１〜４４の一端及び液晶素子１０の接続端子１０ａ〜１０ｄが半田付けされる。すなわち、容易にサスペンションワイヤ４１〜４４と液晶素子１０とを電気的に接続することができる。
【００３１】
【発明の効果】
以上説明したように、本発明によれば、光源から出射されたレーザ光を集光して光ディスクに照射する対物レンズと、所定の光学作用を及ぼす光学素子と、上記対物レンズが固定されると共に、内部に上記光学素子が設置される中空のレンズホルダとを有する光ピックアップ装置を製造する方法であって、上記レンズホルダを上記対物レンズが固定される対物レンズ設置部と、上記光学素子が設置される光学素子設置部とに分離させた状態で各々形成し、上記光学素子設置部に上記光学素子を設置してから、上記対物レンズ設置部と上記光学素子設置部とを対物レンズの光軸と光学素子の光軸が一致するように接合する。すなわち、対物レンズ設置部と光学素子設置部とが別体で形成されているため、光ピックアップ装置を製造する際の作業を容易にし、対物レンズの光軸と光学素子の光軸とを容易に一致させ、光学素子が内部に設置されたレンズホルダの剛性を高めることが可能となる。
【００３２】
また、本発明によれば、光源から出射されたレーザ光を集光して光ディスクに照射する対物レンズと、該対物レンズが固定されるレンズホルダと、上記対物レンズの収差を補正する液晶素子と、該レンズホルダを可動自在に支持するサスペンションワイヤと、これら複数のサスペンションワイヤをベース部に対して固定するワイヤ支持部とを備えたムービング・マグネット方式あるいはムービング・コイル方式の光ピックアップ装置であって、上記サスペンションワイヤと上記液晶素子とはＦＰＣ（Ｆｌｅｘｉｂｌｅ  Ｐｒｉｎｔｅｄ  Ｃｉｒｃｕｉｔｓ）を介して接続され、上記液晶素子は、上記サスペンションワイヤを介して駆動信号を供給する。すなわち、予めレンズホルダに固着されたＦＰＣにサスペンションワイヤ及び液晶素子が半田付けされるので、光ピックアップ装置を製造する際の作業を容易にし、サスペンションワイヤと液晶素子とを容易に接続することが可能となる。
【図面の簡単な説明】
【図１】本発明の第１実施形態に係わる光ピックアップ装置の要部構成図である。
【図２】本発明の第１実施形態に係わるレンズホルダ５の全体図構成図であり、（ａ）は縦断面図、（ｂ）は下面図である。
【図３】本発明の第１実施形態に係わる光ピックアップ装置のレンズホルダ５の製造方法について説明するための図である。
【図４】本発明の第２実施形態に係わる光ピックアップ装置の要部構成図である。
【図５】本発明の第２実施形態に係わるレンズホルダ５の全体構成図であり、（ａ）は、レンズホルダ５の側面部５８を正面から見た側面図、（ｂ）はレンズホルダ５の下面図である。
【符号の説明】
１……ベース部
１ａ……貫通孔部
２……ワイヤ支持部
３１，３２……ヨークコイル
４１〜４４……サスペンションワイヤ
５……レンズホルダ
５１……対物レンズ設置部
５１ａ……貫通孔部
５２……光学素子設置部
５２ａ……貫通孔部
５３，５４……ホルダ支持部
５５〜５８……側面部
６……対物レンズ
７１，７２……マグネット
８……光学素子
９……紫外線硬化接着剤
１０……液晶素子
１０ａ〜１０ｄ……接続端子
１１，１２……ＦＰＣ（Ｆｌｅｘｉｂｌｅ  Ｐｒｉｎｔｅｄ  Ｃｉｒｃｕｉｔｓ）
１１ａ，１１ｂ，１２ａ，１２ｂ……配線
【図１】
2004152447.tif 000003
【図２】
2004152447.tif 000004
【図３】
2004152447.tif 000005
【図４】
2004152447.tif 000006
【図５】
2004152447.tif 000007